(57)【要約】【課題】バリア性、耐水性、レトルト耐性などの機能に優れた、また、蓋材とヒートシールした時に、シール漏れなどのシール不良が起こりにくい紙製容器を提供することを目的とする。【解決手段】紙箱の内面及び外面に内面樹脂フィルム及び外面樹脂フィルムを各々積層してなり、前記内面樹脂フィルムと外面樹脂フィルムとが、紙箱に設けた開孔部において接着し、かつ、紙箱を覆うように周縁部で接着されていることを特徴とする紙製容器。および、底部に開孔部を設けた紙箱を用いて、真空成形法又は／及び圧空成形法により前記内面樹脂フィルムと外面樹脂フィルムとを紙箱に積層、成形することを特徴とする紙製容器の製造方法。【選択図】図２
2011093538.tif 000002
【特許請求の範囲】
【請求項１】
紙箱の底部に開孔部を有し、紙箱の内面及び外面に内面樹脂フィルム及び外面樹脂フィルムを各々積層してなり、内面樹脂フィルム及び外面樹脂フィルムが紙箱の底部の開孔部において接着しており、かつ、前記紙箱の内面に積層された内面樹脂フィルムは、前記紙箱の内面より一回り大きく、前記紙箱の外面に積層された外面樹脂フィルムは、前記紙箱の外面より一回り大きく、前記内面樹脂フィルムと外面樹脂フィルムとが、紙箱を覆うように周縁部で接着されていることを特徴とする紙製容器。
【請求項２】
前記紙箱がフランジを有しており、前記内面樹脂フィルムと前記外面樹脂フィルムは、紙箱のフランジを覆うように周縁部が接着されていることを特徴とする請求項１に記載の紙製容器。
【請求項３】
前記紙箱が一枚のブランクを製函してなり、前記紙箱の四側面上端縁に連結されたフランジは、隣り合うフランジどうしの端部が突合せになっており、互いに重なり合っていないことを特徴とする請求項２に記載の紙製容器。
【請求項４】
前記紙箱が底部と側壁からなりフランジを有さず、内面樹脂フィルムと外面樹脂フィルムを貼り合わせることでフランジ部が形成されていることを特徴とする請求項１に記載の紙製容器。
【請求項５】
底部に開孔部を有する紙箱の一方の面に、該紙箱の一方の面より一回り大きな樹脂フィルムＡを真空成形法又は／及び圧空成形法により積層する工程と、
前記紙箱の開孔部と対応する位置の前記樹脂フィルムＡに貫通孔を設ける工程と、
該紙箱の他方の面に、該紙箱の他方の面より一回り大きな樹脂フィルムＢを真空成形法又は／及び圧空成形法により積層する工程と、
前記紙箱の外周に食み出した樹脂フィルムＡと樹脂フィルムＢとを貼り合わせる工程を有することを特徴とする紙製容器の製造方法。
【請求項６】
底部に開孔部を有する紙箱の外面に該紙箱の外面より一回り大きな外面樹脂フィルムを真空成形法又は／及び圧空成形法により積層する工程と、
前記紙箱の開孔部と対応する位置の外面樹脂フィルムに貫通孔を設ける工程と、
該紙箱の内面に紙箱の内面より一回り大きな内面樹脂フィルムを真空成形法又は／及び圧空成形法により積層する工程と、
前記紙箱の外周に食み出した内面樹脂フィルムと外面樹脂フィルムとを貼り合わせる工程を有することを特徴とする請求項５に記載の紙製容器の製造方法。
【発明の詳細な説明】
【技術分野】
【０００１】
本発明は、例えば、食品の流通用や食事用、トイレタリー用品の流通用に用いられる紙製容器に関し、バリア性、耐水性、レトルト耐性などの機能に優れた紙製容器とその製造方法に関するものである。
【背景技術】
【０００２】
食品やトイレタリー用品の一次容器として用いられる紙製の容器は、内容物が紙製容器に直接収容されているため、内容物と紙製容器の内面が直接接触している。こうした一次容器としては、紙箱の内面に熱可塑性プラスチックシートを積層した紙製容器が用いられている（特許文献１参照）。
【先行技術文献】
【特許文献】
【０００３】
【特許文献１】特開平９−２５４２８０号公報
【発明の概要】
【発明が解決しようとする課題】
【０００４】
しかしながら、この紙製容器は、紙箱の内面にのみ熱可塑性プラスチックシートを積層しているため、紙箱の外面は、防水性などを有しておらず、温水殺菌や調理する際に、紙箱の外面が吸水してしまうという問題があった。紙箱の外面が吸水した際、紙の層間剥離などが起こり、紙製容器は強度低下による変形や、紙箱の外面が印刷層である場合には、印刷層の剥がれによる美称性や必要情報の欠損など、さまざまな不具合が生じる。
【０００５】
本発明は、前記の不具合を解消し、バリア性、耐水性、レトルト耐性などの機能に優れた、また、紙製容器を蓋材とヒートシールした時に、シール漏れなどのシール不良が起こりにくい紙製容器とその製造方法を提供することを目的とする。
【課題を解決するための手段】
【０００６】
すなわち、請求項１に記載の発明は、紙箱の底部に開孔部を有し、紙箱の内面及び外面に内面樹脂フィルム及び外面樹脂フィルムを各々積層してなり、内面樹脂フィルム及び外面樹脂フィルムが紙箱の底部の開孔部において接着しており、かつ、前記紙箱の内面に積層された内面樹脂フィルムは、前記紙箱の内面より一回り大きく、前記紙箱の外面に積層された外面樹脂フィルムは、前記紙箱の外面より一回り大きく、前記内面樹脂フィルムと外面樹脂フィルムとが、紙箱を覆うように周縁部で接着されていることを特徴とする紙製容器である。
【０００７】
この発明によれば、紙箱の内面及び外面の両面に樹脂フィルムが積層され、内面樹脂フィルムと外面樹脂フィルムとが、紙箱を覆うように周縁部で接着されているため、紙製容器の内面のみならず外面にも耐性を付与することができ、紙の端面からの吸水を防止することができる。これにより、紙製容器の強度が低下することなく容器のまま湯煎などの調理が可能となる。さらに、紙箱の外面に印刷を施した際にも、印刷剥がれを防止することができる。
【０００８】
また、内面樹脂フィルム及び外面樹脂フィルムが紙箱の底部の開孔部において、接着しているので、紙箱と内面樹脂フィルム及び外面樹脂フィルムが固定され、また、内面樹脂フィルム及び外面樹脂フィルムの間の気体を少なくすることができる。そのため、レトルト殺菌を行う場合にあっては、昇温、殺菌、冷却時などの圧力変動に際しても、紙箱と内
外面の樹脂フィルムとのずれが起こらないし、内面樹脂フィルム及び外面樹脂フィルムの間の気体が少ないので、気体の膨張による熱の伝導の低下もない。
【０００９】
また、請求項２に記載の発明は、前記紙箱がフランジを有しており、前記内面樹脂フィルムと前記外面樹脂フィルムは、紙箱のフランジを覆うように周縁部が接着されていることを特徴とする請求項１に記載の紙製容器である。
【００１０】
紙箱がフランジを有しており、前記内面樹脂フィルムと前記外面樹脂フィルムが、紙箱のフランジを覆うように周縁部が接着されているので、紙製容器のフランジ部に蓋材をシールし、紙製容器を容易に密封することができる。
【００１１】
次に、請求項３に記載の発明は、前記紙箱が一枚のブランクを製函してなり、前記紙箱の四側面上端縁に連結されたフランジは、隣り合うフランジどうしの端部が突合せになっており、互いに重なり合っていないことを特徴とする請求項２に記載の紙製容器である。
【００１２】
通常の紙製容器では、図４に示すようなブランクを用いて、紙箱を製函している。図４に示すブランクを用いて紙箱を製函した場合、紙箱の四側面上端縁に連結されたフランジは、フランジ重ね片２２により隣り合うフランジ同士が互いに重なり合う構造をしており、フランジ上面に紙１枚分の段差が生じる。段差を有するフランジ上面に蓋材を接着すると、この段差により内容物が漏れ易くなったり、蓋材の接着強度が低下するなどの不具合が生じることがあり、好ましくない。
【００１３】
この発明によれば、紙箱の四側面上端縁に連結されたフランジは、隣り合うフランジどうしの端部が突合せになっており、互いに重なり合っていない。これにより、フランジ上面の段差をなくすことができる。さらに、紙箱の四側面上端縁に連結されたフランジが互いに隣接している構造であり、隣接するフランジ同士が重なり合っていなくとも、紙箱の内面及び外面の両面に樹脂フィルムを積層しているため、十分な強度を維持することが可能である。
【００１４】
また、請求項４に記載の発明は、前記紙箱が底部と側壁からなりフランジを有さず、内面樹脂フィルムと外面樹脂フィルムを貼り合わせることでフランジ部が形成されていることを特徴とする請求項１に記載の紙製容器である。
【００１５】
この発明によれば、フランジ部に紙箱のフランジがなく、フィルムのみでフランジを形成しているので、フランジ部に段差を生ずることがなく、平坦にすることができる。また、紙の使用量を減らすことができ、環境に配慮することができる。
【００１６】
また、請求項６に記載の発明は、底部に開孔部を有する紙箱の一方の面に、該紙箱の一方の面より一回り大きな樹脂フィルムＡを真空成形法又は／及び圧空成形法により積層する工程と、
前記紙箱の開孔部と対応する位置の前記樹脂フィルムＡに貫通孔を設ける工程と、
該紙箱の他方の面に、該紙箱の他方の面より一回り大きな樹脂フィルムＢを真空成形法又は／及び圧空成形法により積層する工程と、
前記紙箱の外周に食み出した樹脂フィルムＡと樹脂フィルムＢとを貼り合わせる工程を有することを特徴とする紙製容器の製造方法である。
【００１７】
この発明によれば、紙箱の内面及び外面の両面に樹脂フィルムが積層され、内面樹脂フィルムと外面樹脂フィルムとが、紙箱を覆うように周縁部で接着されている紙製容器が容易に製造することができ、また、樹脂フィルムＡに設ける貫通孔が、樹脂フィルムＢを真空成形法又は／及び圧空成形法により積層する工程で、樹脂フィルムＡと樹脂フィルムＢが熱融着されて塞がれるので、該紙製容器は紙製容器の内面のみならず外面にも耐性を付与することができ、紙の端面からの吸水を防止することができる。これにより、紙製容器の強度が低下することなく容器のまま湯煎などの調理が可能となる。さらに、紙箱の外面に印刷を施した際にも、印刷剥がれを防止することができる。
【００１８】
また、内面樹脂フィルム及び外面樹脂フィルムが紙箱の底部の開孔部において、熱融着により接着しているので、紙箱と内面樹脂フィルム及び外面樹脂フィルムが固定され、また、内面樹脂フィルム及び外面樹脂フィルムの間の気体を少なくすることができる。そのため、レトルト殺菌を行う場合にあっては、昇温、殺菌、冷却時などの圧力変動に際しても、紙箱と内外面の樹脂フィルムとのずれが起こらないし、内面樹脂フィルム及び外面樹脂フィルムの間の気体が少ないので、気体の膨張による熱の伝導の低下もない。
【００１９】
また、請求項６に記載の発明は、底部に開孔部を有する紙箱の外面に該紙箱の外面より一回り大きな外面樹脂フィルムを真空成形法又は／及び圧空成形法により積層する工程と、
前記紙箱の開孔部と対応する位置の外面樹脂フィルムに貫通孔を設ける工程と、
該紙箱の内面に紙箱の内面より一回り大きな内面樹脂フィルムを真空成形法又は／及び圧空成形法により積層する工程と、
前記紙箱の外周に食み出した内面樹脂フィルムと外面樹脂フィルムとを貼り合わせる工程を有することを特徴とする請求項５に記載の紙製容器の製造方法である。
【００２０】
この発明によれば、貫通孔を外面樹脂フィルムに設けているので、内面樹脂フィルムを真空成形法又は／及び圧空成形法により積層する工程で、貫通孔が熱融着により完全に密封できなくとも内面樹脂フィルムには貫通孔を設けていないので、内容物が微生物汚染される恐れがなく、腐敗の心配がない。
【発明の効果】
【００２１】
以上のように、本発明によれば、紙箱の内面及び外面の両面に樹脂フィルムを積層することにより、紙箱の内面のみならず外面にも耐性を付与することができる。しかも、内面樹脂フィルムと外面樹脂フィルムが紙箱を覆うように接着されているため紙箱の紙の端面からの吸水も防止し、紙の層間剥離などによる、紙製容器の強度低下による変形や、紙箱の外面が印刷層である場合でも、印刷層の剥がれによる美称性や必要情報の欠損などのさまざまな不具合が生じる事がない。そのため、バリア性、耐水性、レトルト耐性などの機能に優れる。また、紙製容器を蓋材とヒートシールした時に、シール漏れなどのシール不良が起こる心配がない。レトルト殺菌を行う場合にあっては、昇温、殺菌、冷却時などでの圧力変動に際しても、紙箱と内外面の樹脂フィルムとのずれが起こらないし、内面樹脂フィルムと外面樹脂フィルムの間の気体が少ないので、気体の膨張による熱の伝導の低下もない。
【図面の簡単な説明】
【００２２】
【図１】本発明の実施形態に係る紙製容器の斜視図
【図２】図１に示す紙製容器１のＡ−Ａ´線における断面図
【図３】本発明で使用するブランクの一例を示す平面図
【図４】従来の紙製容器に使用されているブランクの一例を示す平面図
【図５】本発明の紙製容器の製造工程の一例を示す断面図
【図６】本発明の紙製容器の製造工程の一例を示す断面図
【図７】本発明の紙製容器の製造工程の一例を示す断面図
【図８】本発明の紙製容器の製造工程の一例を示す断面図
【図９】本発明の他の実施形態に係る紙製容器の断面図
【図１０】本発明の他の実施形態に係るカップ構造の紙箱の斜視図
【図１１】本発明の他の実施形態に係る紙製容器の説明の断面図
【発明を実施するための形態】
【００２３】
次に、図面を参照して本発明の実施形態を説明する。
図１は、本発明の実施形態に係る紙製容器１の斜視図である。図２は、図１に示す紙製容器１のＡ−Ａ´線における断面図である。
【００２４】
図１及び２に示すように、本発明の紙製容器１は、底部に開孔部を有する紙箱２の内面及び外面に内面樹脂フィルム３及び外面樹脂フィルム４を各々積層してなる。
【００２５】
底部に開孔部を有する紙箱２としては、ボール紙や板紙、それらと樹脂フィルム層や金属層などを貼合せ製函してなるものや、箱型に成形されたパルプモールドなどを用いることができるが、これらに限定されるものではない。また、図１に示す紙製容器１は底が浅い四角いトレー構造であるが、その構造は、使用する目的や条件によって適宜変更される。
【００２６】
底部に開孔部を有する紙箱２を構成する材料として、例えば上記した板紙を用いた場合、板紙からなるブランクを箱形状に製函する際に、接着部材を用いて重ね片１３を留める必要がある。ここでの接着部材としては、酢酸ビニル系水性接着剤、ホットメルトや、エチレンと酢酸ビニルの共重合樹脂（ＥＶＡ）、塩化ビニルと酢酸ビニルの共重合体、エチレンとアクリル酸の共重合樹脂（ＥＡＡ）、変性オレフィン系のヒートシールニスなどを用いることができる。
【００２７】
内面樹脂フィルム３及び外面樹脂フィルム４としては、ホモポリプロピレン、ランダムポリプロピレン共重合体、ブロックポリプロピレン共重合体などのポリプロピレン（ＰＰ）や、エチレンビニルアルコール（ＥＶＯＨ）、エチレンとアクリル酸の共重合樹脂（ＥＡＡ）、ナイロン（ＮＹ）、直鎖状低密度ポリエチレン（ＬＬＤＰＥ）、ポリ塩化ビニリデン（ＰＶＤＣ）などの樹脂を用いることができ、これらを単層で用いてもよく、これらを組み合わせた多層で用いることもできる。
【００２８】
紙製容器１へ積層した後の各樹脂フィルムの膜厚としては、３０μｍ以上、５００μｍ以下であることが好ましい。膜厚が５００μｍよりと厚いと、積層時にフィルム膜厚が不均一になることがあり、好ましくない。また、３０μｍ未満ではピンホールが発生する危険性が高い。
【００２９】
本発明における紙製容器の製造について説明する。
【００３０】
まず、図３に示すようなブランク１０を紙箱２に組み立てる。ブランク１０は、底面１１、側面１２、側面１２に連結した重ね片１３、側面上端縁に連結されたフランジ１４とから成り、底面１１には開孔部１６が設けられ、紙からなるブランク１０を打ち抜いて各部が構成され、これを折り曲げ線１５に沿って折り込み組み立てて紙箱２とする。重ね片１３は隣接する側面へ接着部材を用いて接着されても良いが、接着せず単に折り曲げ組み立てられているものでも良い。
【００３１】
ここで、本発明では、紙箱の四側面上端縁に連結されたフランジ１４は、隣り合うフランジどうしの端部が突合せになっており、互いに重なり合っていないことが好ましい。図３に示すブランク１０では、図４に示すようなフランジ重ね片２２を有していない。紙箱を組み立てた際、図３の紙箱では、図４の紙箱と比較して、隣り合うフランジ同士が固定されていない分、形状安定性に劣っている。しかし、紙箱の内面及び外面の両面に樹脂フィルムを積層することで十分な強度、形状安定性を付与することができる。さらに、従来の方法では解決できない、フランジ上面の平滑化という課題を解決することができる。
【００３２】
次に、底部に開孔部を有する紙箱２の内面及び外面に内面樹脂フィルム３及び外面樹脂フィルム４を各々積層する。このとき、以下に示すように、外面樹脂フィルム４、内面樹脂フィルム３の順に積層するのが好ましいが、この順番が逆であってもよい。
積層方法は、真空成形法又は／及び圧空成形法により積層される。以下、真空成形法での実施例を説明する。
【００３３】
組み立てられた底部に開孔部１６を有する紙箱２の断面図を図５に示す。図５は上下逆に示しているが、この状態で組み立てられた底部に開孔部を有する紙箱２の上方に外面樹脂フィルム４を載置し、熱風で外面樹脂フィルム４を加熱軟化させる。熱接着条件、熱風温度等は使用する外面樹脂フィルム４の材質、厚さ等によって適宜変更される。
【００３４】
その後、例えば真空ポンプのような真空源より吸引管、吸引孔を通じて型内の空気を吸引すると、型内の空気は底部に開孔部を有する紙箱２の開孔部１６を通して吸引され、その内部は真空状態になるので、加熱軟化された外面樹脂フィルム４は圧力により湾曲して紙箱の内面に密着成形され、底部に開孔部を有する紙箱２と一体的に形成され、図６に示すように紙箱２に外面樹脂フィルム４が積層された状態となる（真空成形法）。
【００３５】
なお、底部に開孔部を有する紙箱２と外面樹脂フィルム４の積層、成形は、上記した真空成形法、又は圧空成形法、あるいは真空成形法と圧空成形法を併用した成形法により行われることが好ましい。これにより、外面樹脂フィルム４は、底部に開孔部を有する紙箱２の形状に追随するように精度良く積層することが可能である。
【００３６】
次に、外面樹脂フィルム４を積層した底部に開孔部を有する紙箱２の開孔部１６に位置する範囲内の外面樹脂フィルム４に貫通孔１７を設け、半製品１８を作成する。
【００３７】
開孔部１６においては、少なくとも紙の厚み分樹脂フィルムが伸びる必要があり、その為樹脂フィルムが紙に接しない部分に規制され、開孔部の一端から反対端までの距離は紙の厚みの１．５倍以上必要である。また、貫通孔１７の大きさは、真空引きを充分にでき、かつ、樹脂フィルム同士がシールされた際のシールの強度が必要であり、また、大きすぎると樹脂フィルム同士のシールができない、そのため、貫通孔の一端から反対端までの距離は０．０５〜０．２ｍｍが望ましい。開孔部１６の位置は、紙箱２の底面の端の近傍に２５〜３５ｍｍ間隔で開けるとエアーの残存が少ない。
【００３８】
外面樹脂フィルム４が積層され紙箱２の開孔部の位置の範囲内に貫通孔が設けられた積層体１８を図７に示す。
【００３９】
次に積層体１８に内面樹脂フィルム３を積層する。積層方法は、真空成形法又は／及び圧空成形法により積層される。
【００４０】
図７の積層体１８の上下を反転させ、成形型に設置し、積層体１８の上方に内面樹脂フィルム３載置し、熱風で内面樹脂フィルム３を加熱軟化させる。熱接着条件、熱風温度等は使用する内面樹脂フィルム３の材質、厚さ等によって適宜変更される。
【００４１】
その後、例えば真空ポンプのような真空源より吸引管、吸引孔を通じて型内の空気を吸引すると、型内の空気は積層体１８の外面フィルム４の貫通孔１７を通して吸引され、その内部は真空状態になるので、加熱軟化された内面樹脂フィルム３は圧力により湾曲して積層体１８の内面に密着成形され、積層体１８と一体的に形成され、図８に示すように積層体１８に内面樹脂フィルム３が積層された状態となる（真空成形法）。
【００４２】
このとき、内面樹脂フィルム３は、開孔部１６において、外面樹脂フィルム４と融着し外面樹脂フィルム４に設けられた貫通孔１７が封鎖される。
【００４３】
なお、積層体１８と内面樹脂フィルム３の積層、成形は、上記した真空成形法、又は圧空成形法、あるいは真空成形法と圧空成形法を併用した成形法により行われることが好ましい。これにより、内面樹脂フィルム３は、底部に開孔部を有する紙箱２の形状に追随するように精度良く積層することが可能である。
【００４４】
また、本発明では、内面樹脂フィルム３と外面樹脂フィルム４は底部に開孔部を有する紙箱２のフランジ１４を覆うように接着することが好ましい。このとき、底部に開孔部を有する紙箱２の内面に積層された内面樹脂フィルム３は、底部に開孔部を有する紙箱２の内面より一回り大きく、底部に開孔部を有する紙箱２の外面に積層された外面樹脂フィルム４は、底部に開孔部を有する紙箱２の外面より一回り大きいものである。
【００４５】
内面樹脂フィルム３と外面樹脂フィルム４が紙箱２のフランジ１４を覆うように接着する方法としては、以下に挙げる方法を用いることができるが、これに限定されるものではない。
【００４６】
内面樹脂フィルム３と外面樹脂フィルム４の少なくとも一方の内側に接着層を形成することで、内面樹脂フィルム３と外面樹脂フィルム４を紙箱２に積層した際に、底部に開孔部を有する紙箱２のフランジ１４からはみ出した内面樹脂フィルム３と外面樹脂フィルム４が、互いに接着層を挟んで重なり合い、底部に開孔部を有する紙箱２のフランジ１４を覆うように接着することができる。
【００４７】
また、内面樹脂フィルム３と外面樹脂フィルム４の熱溶融性樹脂層により、内面樹脂フィルム３と外面樹脂フィルム４を底部に開孔部を有する紙箱２に積層した後、紙箱２のフランジ１４から食み出し重なり合った内面樹脂フィルム３と外面樹脂フィルム４をヒートシールして、底部に開孔部を有する紙箱２のフランジ１４を覆うように接着することができる。
【００４８】
上記の説明においてはフランジ付き紙箱で説明したが、フランジのない紙箱を用いてもよい。たとえば、図３のブランク１０からフランジ１４を取り除いた形状であってもよく、その場合、図９のように内面樹脂フィルムと外面樹脂フィルムのヒートシール部でフランジを形成してもよい。また、本発明の紙箱の形状としては、上記した四角いトレー構造の他に、多角形のトレー構造であってもよい。
【００４９】
更には、図１０に示すようなカップ構造であってもよい。ここで、図１０は、本発明の他の実施形態に係るカップ構造の紙箱３０の斜視図であり、図１１は、図１０に示すカップ構造の紙箱３０を用いた紙製容器３１の断面図である。
【００５０】
図１１に示す紙製容器３１は、フランジ３７を有する胴部材３６と底部材３５からなるカップ構造の紙箱３０の内面及び外面に内面樹脂フィルム３３及び外面樹脂フィルム３４を各々積層してなる。カップ構造の紙箱３０の下部には、胴部材３６と底部材３５からなる脚部３８を有している。
【００５１】
図１０に示すカップ構造の紙箱３０の作製は次の通り行う。まず、胴部材ブランクの端縁を重ね合わせてテーパーを有する円筒形状の胴部材３６を形成する。加えて、円形状の底部材ブランクの周縁を下向きに起立させた周縁部を有する底部材３５を形成する。
【００５２】
次に、胴部材３６の下部内面に、底部材３５の周縁部の外面を接合する。その後に、周縁部を覆うように、胴部材３６の下端縁部を内方に折り曲げ、底部材３５の周縁部内面に接合させて脚部３８を形成する。
【００５３】
次に、胴部材３６の上部周縁を外方に、折り曲げフランジ３７を形成する。ここで、図１１に示すように、胴部材３６の上部周縁は外方に１周以上巻き込んでもよい。さらに、胴部材３６を１周以上巻き込んだフランジ３７を上下から加圧圧着などの方法を用いて、平坦にしてもよい。その後、底部材３５には開孔部が設けられる。
【００５４】
なお、本発明におけるカップ構造の紙箱３０は、テーパー状のカップ形状に限定されず、円筒状のカップ形状であっても同様である。
本発明における紙製容器の形状としては、上記に記載した形状に限定されるものではなく、本発明の要件を満たす紙製容器であればよい。これにより、バリア性、耐水性、レトルト耐性などの機能に優れた紙製容器を得ることができる。更には、蓋材とヒートシールした時にフランジが平坦であれば、シール漏れにより内容物が漏れ出す恐れがない。そして、本発明における紙製容器の製造方法によれば、前記の紙製容器が容易に精度良く、すなわち、内面樹脂フィルムおよび外面樹脂フィルムを紙箱の形状に追随するように精度良く積層することが可能である。
【符号の説明】
【００５５】
１・・・紙製容器
２・・・フランジ付き紙箱
３・・・内面樹脂フィルム
４・・・外面樹脂フィルム
１０・・・ブランク
１１・・・底面
１２・・・側面
１３・・・重ね片
１４・・・フランジ
１５・・・折り曲げ線
１６・・・開孔部
１７・・・貫通孔
２０・・・ブランク
２１・・・重ね片
２２・・・フランジ重ね片
３０・・・カップ構造の紙箱
３１・・・紙製容器
３３・・・内面樹脂フィルム
３４・・・外面樹脂フィルム
３５・・・底部材
３６・・・胴部材
３７・・・フランジ
３８・・・脚部
【図１】
2011093538.tif 000003
【図２】
2011093538.tif 000004
【図３】
2011093538.tif 000005
【図４】
2011093538.tif 000006
【図５】
2011093538.tif 000007
【図６】
2011093538.tif 000008
【図７】
2011093538.tif 000009
【図８】
2011093538.tif 000010
【図９】
2011093538.tif 000011
【図１０】
2011093538.tif 000012
【図１１】
2011093538.tif 000013